(57)【特許請求の範囲】
【請求項１】
被露光体を露光する光を発光する複数の発光素子と、
前記複数の発光素子に対応する複数の画像信号の供給を受け該複数の画像信号に応じて該複数の発光素子をそれぞれ露光用に駆動する第１の駆動動作と、光量の調整を制御する光量調整制御信号の供給を受け該光量調整制御信号に応じて該複数の発光素子のそれぞれを光量調整用に駆動する第２の駆動動作とを実行する駆動回路と、
前記複数の画像信号を伝送する複数の芯線が第１のピッチで配列されて一枚のシート状に形成された画像信号ケーブルの該複数の芯線に接続される複数の端子を有し、前記画像信号ケーブルを経由して伝送されてきた該画像信号を前記駆動回路へ中継する画像信号コネクタと、
電力を伝送する複数の電源ケーブルそれぞれの芯線および前記光量調整制御信号を伝送する複数の調整制御信号ケーブルそれぞれの芯線に接続される複数の端子を有し、該電源ケーブルを経由して伝送されてきた電力と該調整制御信号ケーブルを経由して伝送されてきた該光調整制御信号の双方を前記駆動回路へ中継する電源／調整制御信号コネクタとを備えたことを特徴とする露光装置。
【請求項２】
被露光体を露光する光を発光する複数の発光素子と、
前記複数の発光素子に対応する複数の画像信号の供給を受け該複数の画像信号に応じて該複数の発光素子をそれぞれ露光用に駆動する第１の駆動動作と、光量の調整を制御する光量調整制御信号の供給を受け該光量調整制御信号に応じて該複数の発光素子のそれぞれを光量調整用に駆動する第２の駆動動作とを実行する駆動回路と、
前記複数の画像信号を伝送する複数の芯線および前記光量調整制御信号とは別の、前記駆動回路の動作を制御する付加制御信号を伝送する芯線が第１のピッチで配列されて一枚のシート状に形成された画像信号ケーブルの該複数の芯線および該芯線に接続される複数の端子を有し、該画像信号ケーブルを経由して伝送されてきた該画像信号と該付加制御信号の双方を該駆動回路へ中継する画像信号コネクタと、
電力を伝送する複数の電源ケーブルのそれぞれの芯線に接続される、前記第１のピッチよりも広いピッチで配列された複数の端子を有し、該複数の電源ケーブルを経由して伝送されてきた電力を前記駆動回路へ中継する電源コネクタと、
前記光量調整制御信号を伝送する複数の調整制御信号ケーブルのそれぞれの芯線に接続される、前記第１のピッチよりも広いピッチで配列された複数の端子を有し、前記調整制御信号ケーブルを経由して伝送されてきた該光量調整制御信号を前記駆動回路へ中継する調整制御信号コネクタとを備えたことを特徴とする露光装置。
【請求項３】
前記画像信号ケーブルの前記複数の芯線は、該画像信号ケーブルの中心線に対し互いに対称の位置に配置された、グランド電位を伝送する芯線を含むことを特徴とする請求項１又は２記載の露光装置。
【請求項４】
露光を受けて潜像が形成される感光体と、該感光体を露光する露光器とを有し、
前記露光器が、
被露光体を露光する光を発光する複数の発光素子と、
前記複数の発光素子に対応する複数の画像信号の供給を受け該複数の画像信号に応じて該複数の発光素子をそれぞれ露光用に駆動する第１の駆動動作と、光量の調整を制御する光量調整制御信号の供給を受け該光量調整制御信号に応じて該複数の発光素子のそれぞれを光量調整用に駆動する第２の駆動動作とを実行する駆動回路と、
前記複数の画像信号を伝送する複数の芯線が第１のピッチで配列されて一枚のシート状に形成された画像信号ケーブルと、
前記画像信号ケーブルの複数の芯線に接続される複数の端子を有し、前記画像信号ケーブルを経由して伝送されてきた前記画像信号を前記駆動回路へ中継する画像信号コネクタと、
電力を伝送する複数の電源ケーブルと、
前記光量調整制御信号を伝送する複数の調整制御信号ケーブルと、
前記複数の電源ケーブルそれぞれの芯線および前記複数の調整制御信号ケーブルそれぞれの芯線に接続される複数の端子を有し、該電源ケーブルを経由して伝送されてきた電力と該調整制御信号ケーブルを経由して伝送されてきた該光調整制御信号の双方を前記駆動回路へ中継する電源／調整制御信号コネクタとを備えたことを特徴とする画像形成装置。
【請求項５】
露光を受けて潜像が形成される感光体と、該感光体を露光する露光器とを有し、
前記露光器が、
被露光体を露光する光を発光する複数の発光素子と、
前記複数の発光素子に対応する複数の画像信号の供給を受け該複数の画像信号に応じて該複数の発光素子をそれぞれ露光用に駆動する第１の駆動動作と、光量の調整を制御する光量調整制御信号の供給を受け該光量調整制御信号に応じて該複数の発光素子のそれぞれを光量調整用に駆動する第２の駆動動作とを実行する駆動回路と、
前記複数の画像信号を伝送する複数の芯線および前記光量調整制御信号とは別の、前記駆動回路の動作を制御する付加制御信号を伝送する芯線が第１のピッチで配列されて一枚のシート状に形成された画像信号ケーブルの該複数の芯線および該芯線に接続される複数の端子を有し、該画像信号ケーブルを経由して伝送されてきた該画像信号と該付加制御信号の双方を該駆動回路へ中継する画像信号コネクタと、
電力を伝送する複数の電源ケーブルのそれぞれの芯線に接続される、前記第１のピッチよりも広いピッチで配列された複数の端子を有し、該複数の電源ケーブルを経由して伝送されてきた電力を前記駆動回路へ中継する電源コネクタと、
前記光量調整制御信号を伝送する複数の調整制御信号ケーブルのそれぞれの芯線に接続される、前記第１のピッチよりも広いピッチで配列された複数の端子を有し、該調整制御信号ケーブルを経由して伝送されてきた該光量調整制御信号を前記駆動回路へ中継する調整制御信号コネクタとを備えたことを特徴とする画像形成装置。
【発明の詳細な説明】
【技術分野】
【０００１】
本発明は、露光装置および画像形成装置に関する。
【背景技術】
【０００２】
画像を形成する画像形成装置には、例えば感光体を露光して静電潜像を形成する露光装置を備えたものがあり、露光装置と画像形成装置本体は配線を介して互いに接続されている。
【０００３】
ここで、回路基板と本体の制御部とを、複数本の導体が並列に配置されたフレキシブルフラットケーブル（以降、ＦＦＣと称する。）とＦＦＣ用のコネクタとを介して電気的に接続し、これらのＦＦＣおよびコネクタを経由して、電力および制御信号の双方を供給する構成が知られている（例えば、特許文献１参照。）。
【先行技術文献】
【特許文献】
【０００４】
【特許文献１】特開２００８−３０４３６３号公報
【発明の概要】
【発明が解決しようとする課題】
【０００５】
本発明は、配線間の短絡に起因する不用意な発光が抑えられた露光装置を提供することを目的とするものである。
【課題を解決するための手段】
【０００６】
請求項１に係る露光装置は、
被露光体を露光する光を発光する複数の発光素子と、
上記複数の発光素子に対応する複数の画像信号の供給を受けこれらの複数の画像信号に応じて複数の発光素子をそれぞれ露光用に駆動する第１の駆動動作と、光量の調整を制御する光量調整制御信号の供給を受けこの光量調整制御信号に応じて複数の発光素子のそれぞれを光量調整用に駆動する第２の駆動動作とを実行する駆動回路と、
上記複数の画像信号を伝送する複数の芯線が第１のピッチで配列されて一枚のシート状に形成された画像信号ケーブルのこれらの複数の芯線に接続される複数の端子を有し、上記画像信号ケーブルを経由して伝送されてきた画像信号を上記駆動回路へ中継する画像信号コネクタと、
電力を伝送する複数の電源ケーブルのそれぞれの芯線に接続される、上記第１のピッチよりも広いピッチで配列された複数の端子を有し、上記複数の電源ケーブルを経由して伝送されてきた電力を上記駆動回路へ中継する電源コネクタと、
上記光量調整制御信号を伝送する複数の調整制御信号ケーブルのそれぞれの芯線に接続される、上記第１のピッチよりも広いピッチで配列された複数の端子を有し、上記調整制御信号ケーブルを経由して伝送されてきた光量調整制御信号を上記駆動回路へ中継する調整制御信号コネクタとを備えたことを特徴とする。
【０００７】
請求項２に係る露光装置は、上記電源コネクタおよび上記調整制御信号コネクタの双方に代えて、上記複数の電源ケーブルそれぞれの芯線および上記複数の調整制御信号ケーブルそれぞれの芯線に接続される複数の端子を有し、電源ケーブルを経由して伝送されてきた電力と調整制御信号ケーブルを経由して伝送されてきた光調整制御信号の双方を上記駆動回路へ中継する電源／調整制御信号コネクタを備えたことを特徴とする。
【０００８】
請求項３に係る露光装置は、上記画像信号ケーブルが、上記画像信号を伝送する芯線に加え、さらに上記調整制御信号とは別の、上記駆動回路の動作を制御する付加制御信号を伝送する芯線を有し、
上記画像信号コネクタが、上記画像信号ケーブルを経由して伝送されてきた上記画像信号と上記付加制御信号の双方を上記駆動回路へ中継するものであることを特徴とする。
【０００９】
請求項４に係る画像形成装置は、露光を受けて潜像が形成される感光体と、この感光体を露光する露光器とを有し、
上記露光器が、
被露光体を露光する光を発光する複数の発光素子と、
上記複数の発光素子に対応する複数の画像信号の供給を受けこれらの複数の画像信号に応じて複数の発光素子をそれぞれ露光用に駆動する第１の駆動動作と、光量の調整を制御する光量調整制御信号の供給を受けこの光量調整制御信号に応じて複数の発光素子のそれぞれを光量調整用に駆動する第２の駆動動作とを実行する駆動回路と、
上記複数の画像信号を伝送する複数の芯線が第１のピッチで配列されて一枚のシート状に形成された画像信号ケーブルと、
上記画像信号ケーブルの複数の芯線に接続される複数の端子を有し、上記画像信号ケーブルを経由して伝送されてきた上記画像信号を上記駆動回路へ中継する画像信号コネクタと、
電力を伝送する複数の電源ケーブルと、
上記複数の電源ケーブルのそれぞれの芯線に接続される、上記第１のピッチよりも広いピッチで配列された複数の端子を有し、上記複数の電源ケーブルを経由して伝送されてきた電力を上記駆動回路へ中継する電源コネクタと、
上記光量調整制御信号を伝送する複数の調整制御信号ケーブルと、
上記複数の調整制御信号ケーブルのそれぞれの芯線に接続される、上記第１のピッチよりも広いピッチで配列された複数の端子を有し、上記調整制御信号ケーブルを経由して伝送されてきた上記光量調整制御信号を上記駆動回路へ中継する調整制御信号コネクタとを備えたことを特徴とする。
【発明の効果】
【００１０】
請求項１に係る露光装置および請求項４に係る画像形成装置によれば、本構成を有していない場合に比較して、配線間の短絡に起因する不用意な発光が抑えられる。
【００１１】
請求項２に係る露光装置によれば、電源コネクタおよび調整制御信号コネクタが互いに別部品である場合と比較して部品数や接続作業の労力が低減される。
【００１２】
請求項３に係る露光装置によれば、付加制御信号が画像信号コネクタによって中継されない場合と比較してコネクタ全体の占める面積が低減される。
【図面の簡単な説明】
【００１３】
【図１】本発明の一実施形態としての画像形成装置の概略構成図である。
【図２】露光器を示した斜視図である。
【図３】露光器の筐体内に配備された光学系の平面図である。
【図４】露光器の筐体内に配備された光学系の斜視図である。
【図５】レーザダイオードにおける発光素子の配置の概略を示す配置図である。
【図６】図２に示す露光器を、回路基板が配置された側から見た背面図である。
【図７】画像信号ケーブルを示す外観図である。
【図８】図７に示す画像信号ケーブルの、中心線に沿った断面を示す断面図である。
【図９】電源／調整制御信号ケーブルを示す外観図である。
【図１０】駆動回路の概略構成を示すブロック図である。
【発明を実施するための形態】
【００１４】
以下、本発明の実施形態を説明する。
【００１５】
図１は、本発明の一実施形態としての画像形成装置の概略構成図である。この図１に示す画像形成装置１には、露光器５３が組み込まれている。この露光器５３は、本発明の露光装置の一実施形態に相当する。
【００１６】
この画像形成装置１は、原稿読取部１０、画像形成部２０、および用紙収容部３０を有する。
【００１７】
原稿読取部１０には、原稿Ｓが重ねられた状態に置かれる原稿給紙台１１が備えられている。この原稿給紙台１１上に置かれた原稿Ｓは１枚ずつ送り出されて搬送ロール１２によって搬送経路１３上を搬送され、透明ガラス製の原稿読取板１４の下に置かれた原稿読取光学系１５により、その搬送されてきた原稿に記録されている文字や画像が読み取られて原稿排紙台１６上に排出される。
【００１８】
また、この原稿読取部１０は、その奥側に左右に延びるヒンジを有し、そのヒンジを回転中心として、原稿給紙台１１および原稿排紙台１６を一体的に持ち上げることができる。その持ち上げた下には、原稿読取板１４が広がっている。この原稿読取部１０では、原稿給紙台１１に原稿を置くことに代えて原稿読取板１４上に原稿を１枚だけ下向きに置き、原稿読取光学系１５が矢印Ａ方向に移動してその原稿読取板１４上の原稿から文字や画像を読み取ることもできる。
【００１９】
原稿読取光学系１５で得られた画像信号は、処理・制御回路２１に入力される。処理・制御回路２１は、以下のようにして、入力されてきた画像信号に基づく画像を形成する。また、この処理・制御回路２１は、この画像形成装置１の各部の動作制御を担っている。
【００２０】
また、この画像形成装置１の下部に設けられた用紙収容部３０には、３台の給紙台３１＿１，３１＿２，３１＿３が収容されている。これらの給紙台３１＿１，３１＿２，３１＿３には、各給紙台３１＿１，３１＿２，３１＿３ごとに例えば寸法の異なる用紙Ｐが積み重なった状態に収容されている。各給紙台３１＿１，３１＿２，３１＿３は、用紙Ｐの補給のために、引出し自在に構成されている。
【００２１】
それら３台の給紙台３１＿１，３１＿２，３１＿３のうちの、例えば原稿の寸法に適合した寸法の用紙Ｐが収容されている給紙台（ここでは一例として給紙台３１＿３とする）から用紙Ｐがピックアップロール３２により送り出され、さばきロール３３により１枚ずつに分離され、その１枚の用紙Ｐが搬送ロール３４により矢印Ｂの向きに上方に搬送され、待機ロール３５によりそれ以降の搬送のタイミングが調整されてさらに搬送される。この待機ロール３５以降の搬送については後述する。
【００２２】
また、画像形成部２０には、手差し給紙台２２が備えられている。この手差し給紙台２２はその下端部を中心に開く折り畳み式のものであり、この手差し給紙台２２を開き、その上に用紙を置き、その手差し給紙台２２に置かれた用紙を矢印Ｃに従って送り込むことも可能である。
【００２３】
この画像形成部２０の中央部には、矢印Ｄで示す向きに回転する感光体５１を有し、その感光体５１の周囲に、帯電器５２、現像装置６０、除電器５４、およびクリーナ５５が配置されている。また、感光体５１の上方には、露光器５３が配置されている。また、後述する中間転写ベルト７１を感光体５１との間に挟んだ位置には転写器５６が置かれている。
【００２４】
感光体５１は円筒形状を有し、帯電により電荷を保存し露光によりその電荷を放出してその表面に静電潜像が形成される。
【００２５】
帯電器５２は、感光体５１の表面をある帯電電位に帯電する。
【００２６】
また、露光器５３には、処理・制御回路２１から画像信号が入力され、その入力された画像信号に応じて変調された光ビーム５３１を出力する。この光ビーム５３１は、矢印Ｄ方向に回転する感光体の表面５１の帯電器５２による帯電を受けた部分を、その感光体５１の回転軸方向（図１の紙面に垂直な方向）に繰り返し走査し、感光体５１の表面に静電潜像を形成する。さらに感光体５１は光ビーム５３１の走査を受けて表面に静電潜像が形成された後、現像装置６０により現像され、その感光体５１の表面にトナー像が形成される。ここで、現像装置６０は、６台の現像器６１＿１，６１＿２，６１＿３，６１＿４，６１＿５，６１＿６を備え、矢印Ｅの向きに回転して、それら６台の現像器６１＿１〜６１＿６のうちのいずれか１台の現像器（図１に示す状態では現像器６１＿１）が感光体５１に対面した位置に移動される。感光体５１上に形成された静電潜像は、その感光体５１に対面した現像器（ここでは現像器６１＿１とする）により現像されてトナー像が形成される。
【００２７】
現像装置６０に備えられている６台の現像器６１＿１〜６１＿６には、各現像器ごとにイエロー（Ｙ）、マゼンタ（Ｍ）、シアン（Ｃ）、および黒（Ｋ）や、さらにそのユーザの用途に応じた２色の特色のトナーが収容されている。感光体５１上の静電潜像の現像にあたっては、今回使用される色のトナーを収容した現像器が感光体５１に対面する位置に回転され、その感光体５１に対面した現像器により、その現像器に収容された色トナーによる現像が行われる。ユーザの用途に応じた特色としては、例えば画像の艶出しに用いる透明トナーや、そのユーザにおいて多用される色に調整されたトナー等が用いられる。
【００２８】
現像装置６０の上部には、６台の現像器６１＿１〜６１＿６のそれぞれで用いられている色トナーと同一の色トナーが収容された６台のトナータンク６２＿１〜６２＿６が置かれている。各現像器６１＿１〜６１＿６内のトナーが減ると対応する色のトナーが収容されているトナータンク６２＿１〜６２＿６からその現像器６１＿１〜６１＿６内にトナーが供給される。
【００２９】
現像器による現像により、感光体５１上に形成されたトナー像は、転写器５６の作用により中間転写ベルト７１上に転写される。
【００３０】
この感光体５１は、この転写後に除電器５４による除電を受け、さらにクリーナ５５により、転写後の感光体５１に残存しているトナーが除去される。
【００３１】
中間転写ベルト７１は、複数のロール７２に架け回された、無端の、矢印Ｆ方向に循環移動するベルトである。この中間転写ベルト７１の近傍には、用紙Ｐの搬送経路を挟んだ位置に転写器７３が配置され、さらにその転写器７３よりも中間転写ベルト７１の循環移動方向下流側には、転写器７３による転写後に中間転写ベルト７１上に残存するトナーを除去するクリーナ７４が配置されている。これらの転写器７３およびクリーナ７４は、中間転写ベルト７１に接触自在に離間する構成となっている。複数色による画像を形成するときは、転写器７３およびクリーナ７４を中間転写ベルト７１から離間させておき、ある１色のトナーによるトナー像を感光体５１上に形成して中間転写ベルト７１に転写する過程を、現像装置６０を回転させながら複数の現像器（複数色のトナー）について繰り返し、中間転写ベルト７１上に複数色のトナーによる複数のトナー像を順次重なるように転写する。
【００３２】
その後、転写器７３を中間転写ベルト７１に接触させ、重ねられた複数色のトナー像がその転写器７３が置かれた転写位置に達するときに用紙Ｐもその転写位置に達するように用紙Ｐが待機ロール３５から送り出され、その転写位置において、転写器７３の作用により、中間転写ベルト７１上の複数色のトナー像が用紙Ｐ上に転写される。トナー像の転写を受けた用紙は、さらに矢印Ｇで示す向きに搬送され、定着器７５による加熱および加圧を受けてその用紙上に定着トナー像からなる画像が形成される。この定着器７５を通過した用紙は、さらに矢印Ｈで示す向きに搬送されて用紙排出台２３上に排出される。
【００３３】
また、クリーナ７４も中間転写ベルト７１に接触するように移動し、転写器７３による転写後に中間転写ベルト７１上に残存するトナーが、クリーナ７４により、その中間転写ベルト７１上から除去される。
【００３４】
また、この画像形成装置１は、用紙Ｐの両面に画像を形成することが可能な装置となっている。用紙Ｐの両面に画像を形成する場合、上記のようにして用紙Ｐの第１面にのみ画像が形成された用紙Ｐは、用紙排出台２３上に排出されることに代わり、案内部材３６の切替えにより、搬送ロール３７により矢印Ｉで示す向きに搬送される。その後搬送方向が反転し、もう１つの案内部材３８により、今度は矢印Ｋで示す向きに搬送ロール３９により搬送されて待機ロール３５に至る。
【００３５】
その後は、再度上記と同様にして、今度はその用紙Ｐの第２面に画像が形成される。このようにして両面に画像が形成された用紙Ｐは、今度は用紙排出台２３上に排出される。
【００３６】
図２は、露光器を示した斜視図である。
【００３７】
この図２には、露光器の蓋が取り外され、その露光器内部が示されている。
【００３８】
この露光器５３の筐体５３２には回路基板８１が固定されており、その回路基板８１には、面発光タイプのレーザダイオード８２が搭載されている。この回路基板８１には、画像信号ケーブル８１１および電源／調整制御信号ケーブル８１３が接続され、さらにその回路基板８１には、駆動回路８１２も搭載されている。この回路基板８１に搭載されているレーザダイオード８２は、複数本の光ビームを出射するタイプのレーザダイオードであり、この露光器５３は、図１に示す感光体５１上を複数本の光ビームで同時に走査する構成となっている。
【００３９】
画像信号ケーブル８１１および電源／調整制御信号ケーブル８１３のそれぞれの一方は、画像形成部２０の本体に固定された処理・制御回路２１のコネクタ２１５，２１６（図２参照）に接続され、他方は、回路基板８１に接続されている。画像信号ケーブル８１１および電源／調整制御信号ケーブル８１３は、処理・制御回路２１から画像信号、電力および各種制御信号を回路基板８１に伝達する。画像信号ケーブル８１１を経由して回路基板８１に伝達された画像信号は、駆動回路８１２で処理され、レーザダイオード８２から出射する光ビームを露光用に制御する駆動信号に変換されてレーザダイオード８２に伝えられる。レーザダイオード８２は、その伝えられた駆動信号に応じて複数本の光ビームを出射する。また、電源／調整制御信号ケーブル８１３を経由して伝達された電力は、回路基板８１の動作およびレーザダイオード８２の駆動に用いられ、電源／調整制御信号ケーブル８１３を経由して伝達された調整制御信号は、駆動回路８１２がレーザダイオード８２を光量調整用に駆動するのに用いられる。画像信号ケーブル８１１および電源／調整制御信号ケーブル８１３は、互いに離れる向きに回路基板８１から延び、最終的には共に処理・制御回路２１に至る経路で配置されている。このため、画像信号ケーブル８１１と電源／調整制御信号ケーブル８１３との間での信号のクロストークが、例えば双方のケーブルが互いに並んで延びる配置に比べて低い。画像信号ケーブル８１１および電源／調整制御信号ケーブル８１３のそれぞれの構造および信号の詳細は後に説明する。
【００４０】
露光器５３の筐体５３２内には、回転多面鏡８３やその他の複数の光学部材からなる光学系が配置されている。
【００４１】
図３および図４は、露光器の筐体内に配備された光学系の、それぞれ平面図および斜視図である。
【００４２】
レーザダイオード８２から出射した複数本の光ビーム５３１は、コリメータレンズ８４およびアパーチャ８５を通過しハーフミラー８６に到る。ハーフミラー８６は入射ビームの一部を反射しその反射ビーム５３１ａは集光レンズ８７を介して、光量検知用の光センサ８８に入力される。この光センサ８８による受光信号は図２に示す回路基板８１に伝達され、その回路基板８１上の駆動回路８１２で、その受光信号に基づいて、レーザダイオード８２から出射される光ビームの光量が調整される。
【００４３】
ハーフミラー８６を透過した光ビームは、さらにシリンドリカルレンズ８９を経由して回転多面鏡（ポリゴンミラー）８３に達する。この回転多面鏡８３はその周面８３１が反射鏡となっており、入射ビームをその回転角に応じた方向に反射する。この回転多面鏡８３は矢印Ｌ方向に回転し、したがってその反射ビームは矢印Ｍ方向に繰り返し偏向される。
【００４４】
回転多面鏡８３で反射した光ビームはｆθレンズ９０を通過し、シリンドリカルミラー９１で上方に反射され、平面ミラー９２で光路を折り返す方向に反射される。このミラー９２で反射された光ビームは、ｆθレンズ９０や回転多面鏡８３の上方を通過しシリンドリカルミラー９３で下方に反射されて、筐体５３２に設けられた開口５３３（図２参照）を通って筐体５３２の下方に出射する。この露光器５３の筐体５３２から出射した光ビーム５３１は、図１に示すように、感光体５１をその回転軸方向に走査し、感光体５１上に静電潜像を形成する。
【００４５】
また、図４に示す、回転多面鏡８３による光ビームの偏向範囲Ｒ内であって感光体５１の走査に利用する走査領域Ｓから外れた位置に反射ミラー９４が配置されており、ミラー９２で反射した光ビームは、一回の走査の開始タイミングでその反射ミラー９４で反射する。その反射ミラー９４での反射ビーム５３１ｂは、集光レンズ９５を経由してタイミング検出用光センサ９６に入射する。
【００４６】
この光センサ９６は、光ビーム変調のタイミングを調整するために各回の走査の開始タイミングを検出するセンサである。この光センサ９６で得られた受光信号は、図１に示す処理・制御回路２１に伝達され、処理・制御回路２１では、その受光信号に基づいてタイミング調整された画像信号が生成され、回路基板８１に伝達される。このようにして、レーザダイオード８２からは、光センサ８８の受光信号に基づいて光量が調整され、光センサ９６の受光信号に基づいてタイミングが調整された変調信号に応じて変調された光ビーム５３１が出射される。
【００４７】
図５は、レーザダイオードにおける発光素子の配置の概略を示す配置図である。
【００４８】
レーザダイオード８２は、この基板面と交わる向きに光ビームを発光するＶＣＳＥＬ（Ｖｅｒｔｉｃａｌ  Ｃａｖｉｔｙ−Ｓｕｒｆａｃｅ  Ｅｍｉｔｔｉｎｇ  Ｌａｓｅｒ）タイプの発光素子８２１が３２個、２次元に配列されたＶＣＳＥＬアレイであり、３２本の光ビームを発光し得る。なお、本実施形態では、これら３２個の発光素子８２１のうち、図中下側に配置された１２個の発光素子は使用せず、上側に配置された２０個の発光素子を使用して光ビームを発光させている。レンズやミラーの光軸は、発光に使用する発光素子８２１が分布する中心に調整されるが、使用する発光素子８２１の数が限定されることで、分布の範囲が狭まり、分布の中心から離れた発光素子８２１からの光がレンズやミラーを経ることによる光束の広がりが、例えば広範囲に分散した３２個の発光素子を使用する場合に比べて小さい。
【００４９】
［露光器の回路基板］
図６は、図２に示す露光器を、回路基板が配置された側から見た背面図である。図６には、画像信号ケーブル８１１および電源／調整制御信号ケーブル８１３が取り外された状態の回路基板８１が示されている。
【００５０】
回路基板８１は、ねじ８１４で筐体５３２に固定されている。図６には、回路基板８１の一方の面が示されている。回路基板８１のこの面には、画像信号ケーブル８１１および電源／調整制御信号ケーブル８１３（図２参照）がそれぞれ接続される画像信号コネクタ８１５および電源／調整制御信号コネクタ８１６が取り付けられており、また、光量センサ信号コネクタ８１７が取り付けられている。光量センサ信号コネクタ８１７には、光量検知用の光センサ８８からの信号を伝達する光量センサ信号ケーブル８８１が接続されている。また、回路基板８１の他方の面には、レーザダイオード８２が取り付けられており、また、駆動回路８１２が設けられている。駆動回路８１２は、この他方の面に取り付けられた半導体集積回路８１２Ａおよびその周辺に取り付けられた図示しない電子部品によって構成されている。なお、図６では、回路基板８１が有する導体パターンの図示は省略されている。
【００５１】
［画像信号ケーブル］
ここで、画像信号コネクタ８１５および電源／調整制御信号コネクタ８１６に接続される画像信号ケーブル８１１および電源／調整制御信号ケーブル８１３について説明する。
【００５２】
図７は、画像信号ケーブルを示す外観図である。また、図８は、図７に示す画像信号ケーブルの、中心線に沿った断面を示す断面図である。
【００５３】
画像信号ケーブル８１１は、シールド付のフレキシブルフラットケーブル（Ｆｌｅｘｉｂｌｅ  Ｆｌａｔ  Ｆａｂｌｅ；以降ＦＦＣと称する。）である。画像信号ケーブル８１１は、導体からなる５０本の芯線８１１１，８１１２が配列されて一枚のシート状に形成されている。芯線８１１１，８１１２は０．５ｍｍピッチで配列されている。５０本の芯線８１１１，８１１２のうち、４本の芯線８１１２は、グラウンド電位を伝送する芯線である。グラウンド電位を伝送する４本の芯線８１１２は、画像信号ケーブル８１１の中心線Ｃに対し対称の位置に配置されている。
【００５４】
図８に示すように、芯線８１１１（８１１２）は、樹脂材料からなるシート状の絶縁層８１１３に、接着剤８１１４を介して両側から挟み込まれている。絶縁層８１１３のさらに外側には、導体からなるシート状のシールド８１１５が配置されている。シールド８１１５は、芯線８１１１，８１１２を囲むことによって、外部の信号に対してノイズの原因となる電磁波の放出を抑える。画像信号ケーブル８１１の両端では、芯線８１１１，８１１２が露出しており、この露出した部分が画像信号コネクタ８１５（図６参照）の端子８１５２に接触する。また、芯線８１１１，８１１２が露出した部分には強度を補強するための補強板８１１６が取り付けられている。
【００５５】
４０本の芯線８１１１，８１１２のうち、グラウンド電位を伝送する４本の芯線８１１２は、シールド８１１５に接続されている。つまり、４本の芯線８１１２は、シールド８１１５を介して短絡されている。本実施形態の画像信号ケーブル８１１では、シールド８１１５に接続された４本の芯線８１１２が、画像信号ケーブル８１１の中心線Ｃに対し対称の位置に配置されている。このため、画像信号ケーブル８１１を、２つの端を入れ替える向き、つまり図７に示す姿勢から１８０°回転した向きに用いても、シールド８１１５を介して等電位に保たれる芯線８１１２の位置が変わらない。したがって、例えば、シールド８１１５に接続された芯線が、中心線Ｃに対し非対称に配置された構造のケーブルの場合とは異なり、画像形成装置１の組立てにおいて、画像信号ケーブル８１１の向きの取り違えに起因する誤動作や故障が回避される。
【００５６】
［電源／調整制御信号ケーブル］
図９は、電源／調整制御信号ケーブルを示す外観図である。
【００５７】
電源／調整制御信号ケーブル８１３は１８本あり、電源／調整制御信号ケーブル８１３のそれぞれは、導体からなる芯線８１３Ａが被覆で覆われた構造を有する、互いに別個の単線（リード線）である。電源／調整制御信号ケーブル８１３には、電力を伝送する２本の電源ケーブル８１３１と、調整制御信号を伝送する５本の調整制御信号ケーブル８１３２とが含まれている。
【００５８】
電源／調整制御信号ケーブル８１３のそれぞれの端は、共通のソケット８１３４に固定されている。より詳細には、電源／調整制御信号ケーブル８１３のそれぞれの両端では、芯線８１３Ａが被覆から露出しており、芯線８１３Ａは、ソケット８１３４内に設けられた１８個の端子８１３５のそれぞれに加締めまたは半田付けによって接続されている。１８個の端子８１３５は、ソケット内に並んで配置されている。
【００５９】
ここで再び図６を参照して、画像信号コネクタ８１５および電源／調整制御信号コネクタ８１６を説明する。
【００６０】
［画像信号コネクタの構造］
画像信号ケーブル８１１（図７参照）が接続される画像信号コネクタ８１５はＦＦＣ用コネクタであり、画像信号ケーブル８１１の端を受け入れるコネクタハウジング８１５１と、画像信号ケーブル８１１の芯線８１１１，８１１２に電気的に接続される端子８１５２と、画像信号ケーブル８１１の端を固定するラッチ８１５３とを有する。コネクタハウジング８１５１とラッチ８１５３との間には、画像信号ケーブル８１１の端を受け入れる凹部８１５ｒが形成されており、この凹部８１５ｒ内には、５０個の端子８１５２が並んでいる。端子８１５２は、例えば０．５ｍｍピッチで配列されている。端子８１５２のそれぞれは、コネクタハウジング８１５１の外まで延びており、回路基板８１の図示しない導体パターンに半田接続されている。
【００６１】
コネクタハウジング８１５１とラッチ８１５３との間に画像信号ケーブル８１１の端が挿入された状態で、ラッチ８１５３が操作されると、画像信号ケーブル８１１の端が固定され、画像信号ケーブル８１１の５０本の芯線８１１１，８１１２と、画像信号コネクタ８１５の５０個の端子８１５２がそれぞれ互いに接続される。これによって、画像信号コネクタ８１５は、画像信号ケーブル８１１を経由して伝送されてきた信号を駆動回路８１２へ中継する。
【００６２】
［電源／調整制御信号コネクタの構造］
電源／調整制御信号ケーブル８１３（図９参照）が接続される電源／調整制御信号コネクタ８１６は、電源／調整制御信号ケーブル８１３の端に設けられたソケット８１３４を受け入れるハウジング８１６１と、電源／調整制御信号ケーブル８１３の芯線８１３Ａに電気的に接続される端子８１６２とを有する。ハウジング８１６１には、ソケット８１３４を受け入れる凹部８１６ｒが形成されており、この凹部８１６ｒ内には、１８本の端子８１６２が凹部８１６ｒの底から突出して設けられている。１８本の端子８１６２は、画像信号コネクタ８１５の端子が配列されたピッチよりも広いピッチで配列されている。１８本の端子８１６２は、例えば１．５ｍｍのピッチで配列されている。また、端子８１６２のそれぞれは、ハウジング８１６１の外まで延びており、回路基板８１の図示しない導体パターンに半田接続されている。
【００６３】
ハウジング８１６１の凹部８１６ｒに電源／調整制御信号ケーブル８１３（図９参照）のソケット８１３４が挿入されると、電源／調整制御信号ケーブル８１３の芯線８１３Ａと、電源／調整制御信号コネクタ８１６の端子８１６２が、ソケット８１３４の端子８１３５を介して電気的に接続される。電源／調整制御信号コネクタ８１６は、電源／調整制御信号ケーブル８１３を経由して伝送されてきた電力および信号を駆動回路８１２へ中継する。
【００６４】
本実施形態における電源／調整制御信号コネクタ８１６では、電源ケーブル８１３１（図９参照）の芯線８１３Ａが接続される電源端子８１６３と、調整制御信号ケーブル８１３２（図９参照）が接続される調整制御信号端子８１６３とが、１つのコネクタ内に設けられている。つまり、電源／調整制御信号コネクタ８１６は、電源ケーブル８１３１（図９参照）が接続される電源コネクタ８１６Ａと、調整制御信号ケーブル８１３２（図９参照）が接続される調整制御信号コネクタ８１６Ｂとを、１つのコネクタで兼用している。コネクタの構造としては、電源コネクタと調整制御信号ケーブルコネクタとが互いに別体のコネクタとして分離して配置された構造も採用され得る。しかし、本実施形態における電源／調整制御信号コネクタ８１６は、電源コネクタ８１６Ａと、調整制御信号ケーブルコネクタ８１６Ｂとを、１つのコネクタで兼用しているため、分離して配置された場合に比べて部品数が低減され、また、組立て時の接続作業の労力が低減される。
【００６５】
本実施形態の電源／調整制御信号コネクタ８１６のうち、電源端子８１６３が設けられた部分が、本発明にいう電源コネクタの一例に相当し、調整制御信号端子８１６３が設けられた部分が、本発明にいう調整制御信号コネクタの一例に相当する。
【００６６】
ここまで、露光器５３の回路基板８１に取り付けられた画像信号コネクタ８１５および電源／調整制御信号コネクタ８１６について説明したが、図２に示す処理・制御回路２１に取り付けられたコネクタ２１５，２１６もまた、画像信号コネクタ８１５および電源／調整制御信号コネクタ８１６とそれぞれ同様の構造を有する。
【００６７】
続いて、駆動回路８１２について説明した後、電源／調整制御信号コネクタ８１６および画像信号コネクタ８１５が中継する信号について説明する。
【００６８】
［駆動回路の構成］
図１０は、駆動回路の概略構成を示すブロック図である。図１０には、駆動回路８１２に加えて、この駆動回路８１２に接続される、レーザダイオード８２、８８光センサ、および処理・制御回路２１や、電源／調整制御信号ケーブル８１３、画像信号ケーブル８１１、画像信号コネクタ８１５、および電源／調整制御信号コネクタ８１６が示されている。
【００６９】
駆動回路８１２は、光量調整部８１２１、駆動部８１２３、および信号変換部８１２４を有する。
【００７０】
信号変換部８１２４は、画像信号ケーブル８１１および画像信号コネクタ８１５を経由して伝送されてきた信号の形式を変換する。信号変換部８１２４は、より具体的には、差動信号の形式で伝送されてきた信号をＴＴＬ（Ｔｒａｎｓｉｓｔｏｒ−Ｔｒａｎｓｉｓｔｏｒ  Ｌｏｇｉｃ）形式の信号に変換する。差動信号は、例えば、約３５０ｍＶの振幅を有するＬＶＤＳ（Ｌｏｗ  Ｖｏｌｔａｇｅ  Ｄｉｆｆｅｒｅｎｃｉａｌ  Ｓｉｇｎａｌｉｎｇ）規格の信号である。差動信号の形式で信号が伝送されることにより、例えばシングルエンド伝送の場合に比べて、外部から受けるノイズの影響が低減され、また、より高速な信号が伝送される。
【００７１】
駆動部８１２３は、レーザダイオード８２が有する発光素子８２１（図５参照）のそれぞれに対応する駆動素子を有しており、発光素子８２１を駆動する。駆動部８１２３は、３２個の発光素子８２１のうち、実際に使用される２０個の発光素子８２１に対応する２０本の画像信号に応じて、２０個の発光素子８２１を駆動する。２０本の画像信号は、ＰチャネルとＮチャネルからなる差動信号の形式で伝送される。具体的には、２０個の発光素子８２１に対応して、４０本の画像信号Ｐ＿ＶＤＡＴＡ０〜Ｐ＿ＶＤＡＴＡ１９，Ｎ＿ＶＤＡＴＡ０〜Ｎ＿ＶＤＡＴＡ１９（以降、Ｐ＿ＶＤＡＴＡ［０：１９」，Ｎ＿ＶＤＡＴＡ［０：１９」と称する）が伝送される。また、駆動部８１２３は、発光禁止信号ＬＤ＿ＲＳＴを受けることで、発光素子８２１の駆動を強制的に禁止する。
【００７２】
光量調整部８１２１は、レーザダイオード８２が有する発光素子８２１のそれぞれの光量を調整する。光量調整部８１２１は、光量調整制御信号ＣＬＫＡＰＣ，ＡＰＣＳＴに応じて駆動部８１２３に発光素子８２１を順次駆動させる。比較部８１２１Ａは、発光素子８２１のそれぞれからの光の一部を受けた光センサ８８が出力する光量信号のレベルを、基準のレベルと比較することにより、発光素子８２１のそれぞれについて適正な光量が出力される補正レベルを得る。基準のレベルは、基準レベル信号Ｐ＿ＶＲＥＦ，Ｎ＿ＶＲＥＦが表すＰＷＭデューティ比に基づいて得られる。基準レベル信号Ｐ＿ＶＲＥＦ，Ｎ＿ＶＲＥＦは差動信号形式で伝送される。光量レベル記憶部８１２１Ｂは、比較部８１２１Ａで得られた補正レベルを記憶する。光量調整部８１２１における動作の順序は、動作制御信号ＬＤ＿ＣＬＫ，ＬＤ＿ＤＡＴＡによって設定される。
【００７３】
駆動回路８１２には、第１の駆動動作と第２の駆動動作とを切り替えて実行する。第１の駆動動作で、駆動回路８１２は、処理・制御回路２１（図１参照）から、２０個の発光素子８２１に対応する２０本の画像信号の供給を受け、駆動部８１２３に、画像信号に応じて２０個の発光素子をそれぞれ露光用に駆動させる。駆動回路８１２は、光量調整制御信号ＣＬＫＡＰＣ，ＡＰＣＳＴの供給を受けると、第２の駆動動作を実行する。すなわち、駆動回路８１２は、光量調整制御信号ＣＬＫＡＰＣ，ＡＰＣＳＴに応じて光量調整部８１２１に発光素子８２１のそれぞれを光量調整用に駆動させて、補正レベルを得、光量レベル記憶部８１２１Ｂに記憶する。光量調整制御信号ＣＬＫＡＰＣ，ＡＰＣＳＴは、露光時以外に、発光素子８２１を駆動する信号である。先に説明した第１の駆動動作では、光量レベル記憶部８１２１Ｂに記憶された補正レベルに応じて、駆動部８１２３が発光素子８２１のそれぞれを駆動する。したがって、発光素子８２１は、基準レベル信号Ｐ＿ＶＲＥＦ，Ｎ＿ＶＲＥＦに基づいて調整された光量で発光する。
【００７４】
このように、駆動回路８１２は、画像信号の供給がない状態、すなわち、露光用に発光素子を駆動させない場合でも、光量調整制御信号ＣＬＫＡＰＣ，ＡＰＣＳＴの供給を受けることにより、第２の駆動動作で光量調整用に発光素子を駆動させる。また、発光禁止信号ＬＤ＿ＲＳＴおよび動作制御信号ＬＤ＿ＣＬＫ，ＬＤ＿ＤＡＴＡも、第２の駆動動作における発光素子の駆動を制御する。
【００７５】
ここで、光量調整制御信号ＣＬＫＡＰＣ，ＡＰＣＳＴ、発光禁止信号ＬＤ＿ＲＳＴ、および動作制御信号ＬＤ＿ＣＬＫ，ＬＤ＿ＤＡＴＡは、本発明にいう光量調整制御信号の一例に相当する。
【００７６】
［ケーブルおよびコネクタへの信号の割当て］
電源／調整制御信号ケーブル８１３のうちの電源ケーブル８１３１は、駆動回路８１２の動作および発光素子８２１の駆動に用いられる電力＋５Ｖ，ＧＮＤを伝送する。また、電源／調整制御信号ケーブル８１３のうちの調整制御信号ケーブル８１３２は、光量調整制御信号ＣＬＫＡＰＣ，ＡＰＣＳＴ、発光禁止信号ＬＤ＿ＲＳＴ、および動作制御信号ＬＤ＿ＣＬＫ，ＬＤ＿ＤＡＴＡを伝送する。
【００７７】
電力＋５Ｖを伝送する電源ケーブル８１３１は、電源電位である５Ｖに維持される。電力用の端子は、他の端子と短絡すると、電力を供給する処理・制御回路２１や駆動回路８１２を損傷させる可能性がある。ここで、本実施形態における電源ケーブル８１３１（図９参照）は、ＦＦＣではなく、いずれも独立した複数のケーブルである。また、電源／調整制御信号コネクタ８１６の端子８１６２（図６参照）は、画像信号コネクタ８１５の端子８１５２のピッチよりも広いピッチで配列されている。このため、画像信号ケーブル８１１や画像信号コネクタ８１５のような狭いピッチの場合に比べ、異物による短絡（地絡）の発生も低減される。また、狭いピッチの場合に比べ、ＦＦＣの芯線やコネクタの端子が５Ｖに維持されても、端子間にウィスカ（ひげ状の金属結晶）が生じることが抑制される。また、組立てにおいて、電源／調整制御信号ケーブル８１３が、電源／調整制御信号コネクタ８１６に接続されるときに、傾いた姿勢で接続された場合における端子間の短絡の発生が、狭いピッチの場合に比べ低減する。
【００７８】
また、光量調整制御信号ＣＬＫＡＰＣ，ＡＰＣＳＴ、発光禁止信号ＬＤ＿ＲＳＴ、および動作制御信号ＬＤ＿ＣＬＫ，ＬＤ＿ＤＡＴＡは、画像形成時以外であっても、発光素子８２１を駆動させ得る信号であり、端子や芯線の短絡、特に電源との短絡によって予期しない値になると、画像形成時以外に発光素子８２１が駆動される場合がある。そしてこの場合、光が、例えば回転が停止している感光体５１の一部分に局所的に照射され、感光体５１が損傷する可能性がある。
【００７９】
本実施形態において、光量調整制御信号ＣＬＫＡＰＣ，ＡＰＣＳＴ、発光禁止信号ＬＤ＿ＲＳＴ、および動作制御信号ＬＤ＿ＣＬＫ，ＬＤ＿ＤＡＴＡを伝送する調整制御信号ケーブル８１３２（図９参照）は、ＦＦＣではなく、いずれも独立した複数のケーブルである。また、電源／調整制御信号コネクタ８１６の端子８１６２（図６参照）は、画像信号コネクタ８１５の端子８１５２のピッチよりも広いピッチで配列されている。このため、光量調整制御信号ＣＬＫＡＰＣ，ＡＰＣＳＴの、端子間の短絡に起因する発光素子８２１の不用意な発光が回避される。
【００８０】
この一方で、画像信号ケーブル８１１および画像信号コネクタ８１５は、４０本の画像信号Ｐ＿ＶＤＡＴＡ［０：１９」，Ｎ＿ＶＤＡＴＡ［０：１９」を伝送する。画像信号は、使用する発光素子８２１の数に応じた数必要である。また、画像を表す画像信号は、光量調整制御信号ＣＬＫＡＰＣ，ＡＰＣＳＴよりも高速であり、シールドケーブルによって伝送することで外に放出される電磁波が低減する。画像信号ケーブル８１１はＦＦＣであり、また画像信号コネクタ８１５は、電源／調整制御信号コネクタ８１６に比べ狭いピッチで端子が配列されている。このため、発光素子８２１の数に応じた数の信号を中継するために必要なコネクタの大きさが、電源／調整制御信号コネクタ８１６のような広いピッチの場合に比べ、小さい。より具体的には、４０本の画像信号を中継する画像信号コネクタ８１５が、露光器５３の限られたスペースに取り付けられた回路基板８１上に配置され得る大きさとなっている。画像信号ケーブル８１１もまた、シールド付のＦＦＣであるため、芯線が個別にシールドされたシールド線を複数用いる場合に比べ、ケーブルの配置に必要なスペースが小さく、ケーブルの製造に必要な材料も抑えられる。
【００８１】
また、基準レベル信号Ｐ＿ＶＲＥＦ，Ｎ＿ＶＲＥＦは、デューティ比によってレベルを表す信号であるため、光量調整制御信号ＣＬＫＡＰＣ，ＡＰＣＳＴに比べ高速の信号である。この一方で、基準レベル信号Ｐ＿ＶＲＥＦ，Ｎ＿ＶＲＥＦは付加制御信号であり、光量調整制御信号ＣＬＫＡＰＣ，ＡＰＣＳＴとは発光に与える影響が異なる。付加制御信号は、その信号のみでは発光素子８２１を発光させ得ない信号である。すなわち、付加制御信号である基準レベル信号Ｐ＿ＶＲＥＦ，Ｎ＿ＶＲＥＦは、発光素子８２１が発光する場合の発光量を制御する信号ではあるが、他の信号によって発光が停止している状態では、発光素子８２１を発光させることができない。したがって、例えば短絡によって予期しない値となっても、発光素子８２１が本来発光すべきでない時に発光する事態とはならない。これらの、基準レベル信号Ｐ＿ＶＲＥＦ，Ｎ＿ＶＲＥＦは、端子のピッチが狭い画像信号コネクタ８１５によって中継されることによって、画像信号コネクタ８１５および電源／調整制御信号コネクタ８１６を合わせたコネクタ全体の面積が小型化している。また、画像信号ケーブル８１１によって伝送されることで、外に放出される電磁波が低減する。
【００８２】
なお、上述した実施形態では、本発明にいう電源コネクタおよび調整制御信号コネクタの例として、電源コネクタおよび調整制御信号コネクタが１つの電源／調整制御信号コネクタ８１６で兼用された形態を示したが、本発明はこれに限られるものではなく、例えば、電源コネクタと調整制御信号ケーブルコネクタとが互いに別体のコネクタとして分離して配置されたであってもよい。
【００８３】
また、上述した実施形態では、本発明にいう電源コネクタおよび調整制御信号コネクタが兼ねられた電源／調整制御信号コネクタの例として、１８個の端子が１．５ｍｍのピッチで配列された電源／調整制御信号コネクタ８１６を示したが、本発明はこれに限られるものではなく、例えば、電源／調整制御信号コネクタは、１８個より少ないか、または１８個よりも多い端子を有するものであってよい。また、これらの端子の配置ピッチも、画像信号コネクタの端子の配置ピッチよりも広いものであれば、例えば、１ｍｍや、２ｍｍといった、１．５ｍｍ以外であってもよい。
【００８４】
また、上述した実施形態では、本発明にいう画像信号ケーブルおよび画像信号コネクタの例として５０本の芯線を有する画像信号ケーブル８１１および５０個の端子を有する画像信号コネクタ８１５を示したが、本発明はこれに限られるものではなく、本発明にいう画像信号ケーブルは５０本以外の複数の芯線を有するものであってもよく、画像信号コネクタは５０個以外の端子を有するものであってもよい。また、これらの芯線や端子の配置ピッチも０．５ｍｍに限られるものではない。
【００８５】
また、上述した実施形態では、本発明にいう光量調整制御信号の例として、光量調整制御信号ＣＬＫＡＰＣ，ＡＰＣＳＴ、発光禁止信号ＬＤ＿ＲＳＴ、および動作制御信号ＬＤ＿ＣＬＫ，ＬＤ＿ＤＡＴＡを示したが、本発明はこれに限られるものではなく、本発明にいう光量調整制御信号は、例えば、光量調整制御信号ＣＬＫＡＰＣ，ＡＰＣＳＴ、発光禁止信号ＬＤ＿ＲＳＴ、および動作制御信号ＬＤ＿ＣＬＫ，ＬＤ＿ＤＡＴＡのいずれかであってもよい。
【００８６】
また、上述した実施形態では、本発明の画像形成装置の例として、６台の現像器６１＿１〜６１＿６と１つの感光体５１を有する画像形成装置１を示したが、本発明の画像形成装置はこれに限られず、例えば、いわゆるタンデム型の装置であってもよく、また、モノクロ専用の装置であってもよい。
【００８７】
また、上述した実施形態では、画像形成装置の例として原稿読取部１０を有する画像形成装置１を示したが、本発明にいう画像形成装置は、例えば、プリンタやファクシミリであってもよい。
【符号の説明】
【００８８】
１    画像形成装置
１０    原稿読取部
２０    画像形成部
２１    処理・制御回路
３０    用紙収容部
５１    感光体
８１    回路基板
８２    レーザダイオード
８２１    発光素子
２１５，２１６    コネクタ
８１１    画像信号ケーブル
８１１１，８１１２    芯線
８１２    駆動回路
８１３    調整制御信号ケーブル
８１３Ａ    芯線
８１３１    電源ケーブル
８１３２    調整制御信号ケーブル
８１５    画像信号コネクタ
８１５２    端子
８１６    電源／調整制御信号コネクタ
８１６Ａ    電源コネクタ
８１６Ｂ    調整制御信号コネクタ
８１６２    調整制御信号端子
ＣＬＫＡＰＣ，ＡＰＣＳＴ    光量調整制御信号
Ｐ＿ＶＤＡＴＡ［０：１９」，Ｎ＿ＶＤＡＴＡ［０：１９」    画像信号
Ｐ＿ＶＲＥＦ，Ｎ＿ＶＲＥＦ    基準レベル信号
【図１】
0005671947.tif 000002
【図２】
0005671947.tif 000003
【図３】
0005671947.tif 000004
【図４】
0005671947.tif 000005
【図５】
0005671947.tif 000006
【図６】
0005671947.tif 000007
【図７】
0005671947.tif 000008
【図８】
0005671947.tif 000009
【図９】
0005671947.tif 000010
【図１０】
0005671947.tif 000011